(57)【特許請求の範囲】
【請求項１】
穿き口部から踵部までを構成しているボディ部と、踵部から爪先部までを構成しているフット部とからなる靴下において、踵部を除いてボディ部途中からフット部途中までの中間領域を構成している生地の編み組織の度目を他の部分よりも密にして編成してあり、
前記中間領域の度目は、ボディ部途中の始端からフット部途中の終端まで途中の踵部付近であってゴアラインの延長線に当たる足首相当部の周辺が最も密であることを特徴とする靴下。
【請求項２】
前記中間領域の度目は、最も密な部位から、両端に向けて徐々に粗となるように段階的にグラデーションを付けた編み方としてあることを特徴とする請求項１に記載の靴下。
【発明の詳細な説明】
【技術分野】
【０００１】
本発明は、ズレ落ち防止機能を備えた靴下に関するものである。
【背景技術】
【０００２】
本来、靴下は、足によくフィットし、ズレ落ちし難く、部分的乃至全体的に過度の締付力を感じさせないで自然な状態で着用できることが望ましい。
一般に、靴下がズレ落ちる原因として、口ゴムのサポート不足が考えられる。そこで、口ゴムのサポート力を強くして靴下のズレ落ちを防止しようとすると、着用中の締付力が過度となり、着用者に苦痛を与えるばかりでなく、着用中は血行障害ともなり、また、脱いだ後は跡形が残るといった不具合がある。
この点を改善するために穿き口の口ゴム部にゴム糸を挿入しないか少なくしてゆったり感を持たせ、踵部の編成に入る前の数コース及び踵部の編成が終わった後の数コースに強めの弾性力を付与し締付部を形成し、該締付部から爪先部までの間に緩衝部を設けることでズレを防止するようにした靴下が提案されている（特許文献１参照）。
【特許文献１】実用新案登録第３１１７３４１号公報
【発明の開示】
【発明が解決しようとする課題】
【０００３】
上記提案の靴下は、踵部の前後に強めの弾性力を付与した締付部を形成するに当たり、裏糸としてポリウレタン糸（ゴム糸）を２本以上使用し、また、緩衝部には裏糸としてポリウレタン糸を１本以下使用することとしている。
この構成は、穿き口部から踵部までの生地の編成及び踵部から爪先部までの生地の編成は、平編みとし、踵部の編成に入る前の数コース及び踵部の編成が終わった後の数コースに強めの弾性力を付与し締付部を形成するために、この平編み組織の裏糸にポリウレタン糸を２本以上置換して挿入するということであって、これであると、踵部の前後の締付部は、ポリウレタン糸、つまり、ゴム糸を挿入することによって強めの弾性力を付与して締め付けることによりズレを防止しているものである。
【０００４】
このように、ゴム糸を挿入することによって締め付けるものは、ゴム糸を入れた部分だけが部分的に強い締付力を持つことになり、着用中の血行障害や、脱いだ後に跡形が残るという不具合が解消されていない。
本発明は、着用中の血行障害や、脱いだ後に跡形が残ることを解消しつつズレ防止が図れ、口ゴムを緩くすることができる靴下を提供することを目的としている。
【課題を解決するための手段】
【０００５】
前記目的を達成するために本発明は、穿き口部から踵部までを構成しているボディ部と、踵部から爪先部までを構成しているフット部とからなる靴下において、踵部を除いてボディ部途中からフット部途中までの中間領域を構成している生地の編み組織の度目を他の部分よりも密にして編成してあることを特徴としている。
この構成によれば、踵部を除く中間領域の度目を密にすることにより、締付力を他の部分よりもアップすることができ、これによって、踵周りで生地が安定し、足を動かしたりしても、或いは、靴との摩擦によっても生地の動きを少なくすることができ、それにより靴下のズレ防止が図れることとなり、口ゴムを緩くすることができる。しかも、締付力や圧迫力を広い範囲に分散させることができるため、着用中の血行障害や、脱いだ後の跡形が残ることも防止することができ、履き心地をよくすることができる。
【０００６】
また、前記中間領域の度目は、ボディ部途中の始端からフット部途中の終端まで途中の踵部付近が最も密となり、両端に向けて徐々に粗となるように段階的にグラデーションを付けた編み方としてあることが望ましい。
この構成によれば、度目を段階的に変化させて中間領域と他の部分との境界での編み組織の急変をなくし、自然な外観を付与することができると共に、締付力の急変部もなくすことができる。
【発明の効果】
【０００７】
本発明によれば、着用中の血行障害や、脱いだ後に跡形が残ることを解消しつつズレ防止が図れ、口ゴムを緩くすることが可能な靴下を提供することができる。
【発明を実施するための最良の形態】
【０００８】
以下、本発明の実施形態を図面に基づいて説明する。
図１は、本発明の靴下の概略側面図を示しており、図１において、本発明の靴下１は、穿き口部２から踵部３までを構成しているボディ部４と、踵部３から爪先部５までを構成しているフット部６とを備えている。
上記穿き口部２は、本実施形態においては、袋編みとし、ゴム糸を挿入していない場合を例示しているが、これに制約されるものではない。
また、上記ボディ部４及びフット部６の編み組織は、特に制約されるものではなく、従来の靴下と同様な編み組織、例えば、平編み組織で編成され、使用する糸も従来のものと同様とされる。
【０００９】
そして、踵部３や爪先部５についても、従来と同様な編成方法で編成されている。
しかし、本発明の靴下１は、踵部３を除いてボディ部４の途中からフット部６の途中までの中間領域７を構成している生地の編み組織の度目を他の部分よりも密にして編成してある。
上記中間領域７の度目は、ボディ部４の途中の始端７ａからフット部６の途中の終端７ｃまで途中の踵部３付近、即ちゴアライン８の延長線に当たる足首相当部７ｂの周辺にかけて最も密となり、両端７ａ、７ｃに向けて徐々に粗となるように段階的にグラデーションを付けた編み方としてある。
【００１０】
このように、踵部３の上下の度目を段階調製し生地によるサポート機能を増すことによって踵を安定させ、ズレ落ちを緩和する機能を付与することができる。
上記中間領域７は、始点７ａ（ボディ部途中）から踵部３のゴアラインまでのコースにかけてループの編み組織をつくる時の糸の引っ張り込み時の糸の長さを調整し前記始点７ａからゴアラインまで徐々に度目を詰め生地のサポートを上から下にかけ強くし、ゴアラインからフット部途中の終点７ｃまでは度目を徐々に広げてゆきサポートを緩める。
上記構成とした場合、生地自体のサポート力は、ゴアラインを中心にした踵部３の周りが最も強く、ゴアラインからボディ部途中の中間領域７の始点７ａ及びフット部途中の中間領域７の終点７ｃへ行くほどにサポート力が弱くなり、その結果、踵を安定させ、生地が動きにくく安定させることができ、これにより、靴下自体のズレる機能を軽減することができる。
【００１１】
以上説明したように、本発明の靴下１は、踵部３を除く中間領域７の締付力を他の部分よりもアップすることができ、これによって、踵周りで生地が安定し、足を動かしたりしても、或いは、靴との摩擦によっても生地の動きを少なくすることができ、それにより靴下のズレ防止が図れることとなり、口ゴムを緩くすることができる。しかも、締付力のアップにゴム糸を使用するのではなく、あるいはパワーの弱い弾性糸を用いても度目を密にすることによって締付力をアップさせたことによって、締付力や圧迫力が局部的に集中せず、広い範囲に分散させることができるため、着用中の血行障害や、脱いだ後の跡形が残ることも防止することができ、履き心地をよくすることができる。
【００１２】
また、中間領域７の度目は、ボディ部４の途中の始端７ａからフット部６の途中の終端７ｃまで途中の踵部３付近が最も密となり、両端７ａ、７ｃに向けて徐々に粗となるように段階的にグラデーションを付けた編み方としてあることによって、中間領域７と他の部分との境界での編み組織の急変をなくし、自然な外観を付与することができると共に、締付力の急変部もなくすことができる。
本発明の実施形態は以上からなるが、本発明は上記実施形態にのみ制約されるものではなく、種々変更して実施してもよい。例えば、各種のソックス類、ストッキング類に適用することができ、また、穿き口部２には、口ゴムを設けてもよい。
【図面の簡単な説明】
【００１３】
【図１】本発明の靴下の概略側面図を示している。
【符号の説明】
【００１４】
１    本発明の靴下
２    穿き口部
３    踵部
４    ボディ部
５    爪先部
６    フット部
７    中間領域
７ａ    始点
７ｂ    足首相当部
７ｃ    終点
【図１】
0005183260.tif 000002